(57)【要約】【課題】発信元の電話機端末を他の電話機端末に切り替えることができないという問題を解決する電話交換機システムを提供する。【解決手段】管理部２０２は、通信部２０１が端末切替要求を受信すると、グループデータベース装置１００から所属電話番号を切替対象電話番号として取得し、その取得した切替対象電話番号の電話機端末を切替対象電話機端末として特定する。着信先の電話機端末と発信元の電話機端末とが接続されているときに、通信部２０１が端末切替要求を受信すると、制御部２０３は、そのときに管理部２０２が特定した切替対象電話機端末を切替先の電話機端末として呼び出す。その呼び出しに対する応答があった場合、その切替先の電話機端末と着信先の電話機端末とを互いに接続させる。【選択図】図１
2011024006.tif 000002
【特許請求の範囲】
【請求項１】
所属電話番号を記憶する記憶手段と、
電話機から、着信要求と、端末切替要求とを受信する通信手段と、
前記通信手段が前記端末切替要求を受信すると、前記記憶手段内の所属電話番号を切替対象電話番号として選択し、該切替対象電話番号の電話機を切替対象電話機として特定する管理手段と、
前記通信手段が前記着信要求を受信すると、該着信要求の着信先の電話機を呼び出し、その呼び出しに対する応答があった場合、該着信先の電話機と該着信要求の発信元の電話機とを互いに接続させ、その後、前記通信手段が前記発信元の電話機から前記端末切替要求を受信すると、そのときに前記管理手段が特定した切替対象電話機を切替先の電話機として呼び出し、その呼び出しに対する応答があった場合、該切替先の電話機と前記着信先の電話機とを互いに接続させる制御手段と、を含む電話交換機システム。
【請求項２】
請求項１に記載の電話交換機システムにおいて、
前記記憶手段は、前記所属電話番号と識別用電話番号とを前記識別用電話番号ごとに対応付けて記憶し、
前記管理手段は、前記端末切替要求の送信元の電話機の電話番号が前記識別用電話番号として対応付けられた所属電話番号を、前記切替対象電話番号として選択する、電話交換機システム。
【請求項３】
請求項１または２に記載の電話交換機システムにおいて、
前記管理手段は、前記切替対象電話番号が複数ある場合、前記切替対象電話番号の電話機の中から、予め定められた条件に合う電話機を前記切替対象電話機として特定する、電話交換機システム。
【請求項４】
請求項１または２に記載の電話交換機システムにおいて、
前記管理手段は、前記切替対象電話番号の電話機が接続可能であれば、該切替対象電話番号の電話機を前記切替対象電話機として特定する、電話交換機システム。
【請求項５】
請求項４に記載の電話交換機システムにおいて、
前記管理手段は、前記接続可能な電話機が複数ある場合、該複数の電話機の中から、予め定められた条件に合う電話機を前記切替対象電話機として特定する、電話交換機システム。
【請求項６】
請求項１ないし５のいずれか１項に記載の電話交換機システムにおいて、
前記制御手段は、前記通信手段が待機状態の電話機から端末接続要求としての前記端末切替要求を受信すると、そのときに前記管理手段が特定した切替対象電話機を前記着信先の電話機として呼び出す、電話交換機システム。
【請求項７】
請求項１ないし６のいずれか１項に記載の電話交換機システムにおいて、
前記管理手段は、前記制御手段が前記着信先の電話機を呼び出している間に、前記通信手段が前記発信元の電話機から前記端末切替要求を受信すると、前記所属電話番号のうち前記着信先の電話機の電話番号と異なる電話番号を前記切替対象電話番号として選択し、
前記制御手段は、前記着信先の電話機を呼び出している間に前記通信手段が前記発信元の電話機から前記端末切替要求を受信すると、そのときに前記管理手段が特定した切替対象電話機を着信切替先の電話機として呼び出し、その呼び出しに対する応答があった場合、該着信切替先の電話機と前記発信元の電話機とを互いに接続させる、電話交換機システム。
【請求項８】
所属電話番号を記憶する記憶手段を含む電話交換機システムによる電話機切替方法であって、
着信要求を受信する受信ステップと、
前記着信要求が受信されると、該着信要求の着信先の電話機を呼び出し、その呼び出しに対する応答があった場合、該着信先の電話機と該着信要求の発信元の電話機とを互いに接続させる接続ステップと、
予め定められた端末切替要求を受信する受付ステップと、
前記端末切替要求が受信されると、前記記憶手段内の所属電話番号を切替対象電話番号として選択し、該切替対象電話番号の電話機を切替対象電話機として特定する特定ステップと、
前記着信先の電話機と前記発信元の電話機とが互いに接続されているときに、前記発信元の電話機から前記端末切替要求が受信されると、そのときに特定された切替対象電話機を切替先の電話機として呼び出し、その呼び出しに対する応答があった場合、該切替先の電話機と前記着信先の電話機とを互いに接続させる制御ステップと、を含む電話機切替方法。
【請求項９】
請求項８に記載の電話機切替方法において、
前記記憶手段は、前記所属電話番号と識別用電話番号とを前記識別用電話番号ごとに対応付けて記憶し、
前記特定ステップでは、前記端末切替要求の送信元の電話機の電話番号が前記識別用電話番号として対応付けられた所属電話番号を、前記切替対象電話番号として選択する、電話機切替方法。
【請求項１０】
請求項８または９に記載の電話機切替方法において、
前記特定ステップでは、前記切替対象電話番号が複数ある場合、前記切替対象電話番号の電話機の中から、予め定められた条件に合う電話機を前記切替対象電話機として特定する、電話機切替方法。
【請求項１１】
請求項８または９に記載の電話機切替方法において、
前記特定ステップでは、前記切替対象電話番号の電話機が接続可能であれば、該切替対象電話番号の電話機を前記切替対象電話機として特定する、電話機切替方法。
【請求項１２】
請求項１１に記載の電話機切替方法において、
前記特定ステップでは、前記接続可能な電話機が複数ある場合、該複数の電話機の中から、予め定められた条件に合う電話機を前記切替対象電話機として特定する、電話機切替方法。
【請求項１３】
請求項８ないし１２のいずれか１項に記載の電話機切替方法において、
待機状態の電話機から端末接続要求としての前記端末切替要求が受信されると、そのときに特定された切替対象電話機を前記着信先の電話機として呼び出す呼出ステップをさらに含む、電話機切替方法。
【請求項１４】
請求項８ないし１３のいずれか１項に記載の電話機切替方法において、
前記特定ステップでは、前記着信先の電話機が呼び出されている間に前記発信元の電話機から前記端末切替要求が受信されると、前記所属電話番号のうち前記着信先の電話機の電話番号と異なる電話番号を前記切替対象電話番号として選択し、
前記着信先の電話機が呼び出されている間に前記発信元の電話機から前記端末切替要求が受信されると、そのときに特定された切替対象電話機を着信切替先の電話機として呼び出し、その呼び出しに対する応答があった場合、該着信切替先の電話機と前記発信元の電話機とを互いに接続させる呼出切替ステップをさらに含む、電話機切替方法。
【発明の詳細な説明】
【技術分野】
【０００１】
本発明は、電話交換機システムおよび電話機切替方法に関する。
【背景技術】
【０００２】
電話交換機システムには、着信転送方式が採用されているものがある。着信転送方式では、発信元の電話機端末が着信先の電話機端末に送信した着信要求を別の電話機端末に転送することで、着信先の電話機端末を切り替えることができる。
【０００３】
着信転送方式の第一の方式では、着信先の電話機端末に着信要求が送信されてから一定時間内にその着信要求に対する応答がない場合や、着信先の電話機端末が通話中である場合などに、着信先の電話機端末の所有者にて予め設定された電話番号の電話機端末に着信要求が転送される。
【０００４】
また、着信転送方式の第二の方式では、着信先の電話機端末に応答した応答者がその着信要求を保留にし、その後、切替先の電話機端末の電話番号を入力することで、その着信要求が切替先の電話機端末に転送される。
【０００５】
第二の方式では、応答者が切替先の電話機端末の電話番号を入力しなければならず、手間がかかるという問題があった。この問題を解決することが可能な技術には、特許文献１に記載の転送方式および特許文献２に記載の保留端末識別装置がある。
【０００６】
特許文献１および特許文献２に記載の技術では、複数の内線電話機のそれぞれを接続した構内電話システムが構築される。また、各内線電話機には、保留釦と表示部とが設けられる。
【０００７】
第一の内線電話機への着信要求に応答した応答者がその着信要求を他の内線電話機に転送する場合、応答者は第一の内線電話機の保留釦を押下する。保留釦が押下されると、各内線電話機の表示部に保留の着信要求がある旨が表示される。この表示を確認した使用者が第二の内線電話機の保留釦を押下すると、着信要求の保留が解除され、発信元の電話機と、第二の内線電話機とが接続される。
【０００８】
したがって、保留釦を押下するだけで、着信先の電話機端末を他の電話機端末に切り替えることが可能になるので、電話番号を入力する手間を軽減することができる。
【先行技術文献】
【特許文献】
【０００９】
【特許文献１】特開昭６０−２４７３６３号公報
【特許文献２】特開平１０−３０４０６２号公報
【発明の概要】
【発明が解決しようとする課題】
【００１０】
着信転送方式の第一の方式および第二の方式でも、特許文献１および２に記載の技術でも、着信先の電話機端末を切り替えることはできるが、発信元の電話機端末を切り替えることができないという問題があった。
【００１１】
このため発信者の利便性が低い。例えば、発信者が固定電話機端末を用いて通話している時に移動する必要が生じても、通話に用いる電話機端末を固定電話機端末から移動電話機端末に切り替えることができない。また、発信者が移動電話機端末を用いて通話しているときに固定電話機端末が有する固有の機能を使用する必要が生じても、通話に用いる電話機端末を移動電話機端末から固定電話機端末に切り替えることができない。
【００１２】
本発明の目的は、上記の課題である、発信元の電話機端末を他の電話機端末に切り替えることができないという問題を解決する電話交換機システムおよび電話機切替方法を提供することである。
【課題を解決するための手段】
【００１３】
本発明による電話交換機システムは、所属電話番号を記憶する記憶手段と、電話機から、着信要求と、端末切替要求とを受信する通信手段と、前記通信手段が前記端末切替要求を受信すると、前記記憶手段内の所属電話番号を切替対象電話番号として選択し、該切替対象電話番号の電話機を切替対象電話機として特定する管理手段と、前記通信手段が前記着信要求を受信すると、該着信要求の着信先の電話機を呼び出し、その呼び出しに対する応答があった場合、該着信先の電話機と該着信要求の発信元の電話機とを互いに接続させ、その後、前記通信手段が前記発信元の電話機から前記端末切替要求を受信すると、そのときに前記管理手段が特定した切替対象電話機を切替先の電話機として呼び出し、その呼び出しに対する応答があった場合、該切替先の電話機と前記着信先の電話機とを互いに接続させる制御手段と、を含む。
【００１４】
本発明による電話機切替方法は、所属電話番号を記憶する記憶手段を含む電話交換機システムによる電話機切替方法であって、着信要求を受信する受信ステップと、前記着信要求が受信されると、該着信要求の着信先の電話機を呼び出し、その呼び出しに対する応答があった場合、該着信先の電話機と該着信要求の発信元の電話機とを互いに接続させる接続ステップと、前記発信元の電話機から端末切替要求を受信する受付ステップと、前記端末切替要求が受信されると、前記記憶手段内の所属電話番号を切替対象電話番号として選択し、該切替対象電話番号の電話機を切替対象電話機として特定する特定ステップと、前記着信先の電話機と前記発信元の電話機とが互いに接続されているときに、前記発信元の電話機から前記端末切替要求が受信されると、そのときに特定された切替対象電話機を切替先の電話機として呼び出し、その呼び出しに対する応答があった場合、該切替先の電話機と前記着信先の電話機とを互いに接続させる制御ステップと、を含む。
【発明の効果】
【００１５】
本発明によれば、発信元の電話機端末を他の電話機端末に切り替えることが可能になる。
【図面の簡単な説明】
【００１６】
【図１】本発明の第一の実施形態の電話交換機システムを示したブロック図である。
【図２】グループデータベースのレコードの一例を示した説明図である。
【図３】本発明の第一の実施形態の電話交換機システムの動作を説明するためのフローチャートである。
【図４】本発明の第二の実施形態の電話交換機システムを示したブロック図である。
【図５】グループデータベースのレコードの他の例を示した説明図である。
【図６】本発明の第二の実施形態の電話交換機システムの動作を説明するためのフローチャートである。
【図７】本発明の第四の実施形態の電話交換機システムの動作を説明するためのフローチャートである。
【図８】本発明の第五の実施形態の電話交換機システムの動作を説明するためのフローチャートである。
【発明を実施するための形態】
【００１７】
以下、本発明の実施形態について図面を参照して説明する。なお、以下の説明では、同じ機能を有する構成には同じ符号を付け、その説明を省略する場合がある。
【００１８】
（第一の実施形態）
図１は、本発明の第一の実施形態の電話交換機システムを示したブロック図である。図１において、電話交換機システムは、グループデータベース装置１００と、主装置２００とを含む。
【００１９】
電話交換機システムは、複数の電話機端末と接続可能である。図１では、電話交換機システムと接続可能な電話機端末として、電話機端末３０１、３０２および３１１が示されている。なお、電話機端末３０１、３０２および３１１は、コンピュータにて実現されるソフトウェア電話機端末を含む固定電話機端末でもよいし、携帯電話機端末およびＰＨＳ端末などの移動電話機端末でもよい。また、以下では、電話機端末３０１の電話番号を「４０１」とし、電話機端末３０２の電話番号を「４０２」とする。
【００２０】
また、各電話機端末は端末の切替を要求する端末切替要求ボタンを備えている。
【００２１】
グループデータベース装置１００は、記憶手段の一例である。グループデータベース装置１００は、グループデータベースを記憶する。グループデータベースでは、電話機端末毎にグループを形成することができ、個々のグループを識別するための識別用電話番号と、そのグループに所属する複数の電話機端末の電話番号を所属電話番号とするグループ情報とが対応付けられている。本実施形態のグループデータベースでは、電話番号「４０１」が識別用電話番号であり、電話番号「４０１」および「４０２」が所属電話番号でありグループ情報を構成する。
【００２２】
図２は、本実施形態のグループデータベースの一例を示した説明図である。図２において、識別用電話番号１１１は、グループを識別するための識別情報として用いられる電話番号であり、電話機端末３０１の電話番号「４０１」を示す。グループ情報１１２は、識別用電話番号１１１「４０１」にて識別されるグループに所属する電話機端末３０１および３０２のそれぞれの所属電話番号１１３および１１４を含む。所属電話番号１１３は、電話機端末３０１の電話番号「４０１」を示し、所属電話番号１１４は、電話機端末３０２の電話番号「４０２」を示す。ここで、グループデータベース装置１００内の各グループを作成するための方法としては、電話機端末から予め定められた番号を用いて行う方法や、ＰＣなどの情報処理装置からネットワークを介して主装置２００にアクセスして行う方法がある。また、この二つの方法の両方が用いられてもよい。
【００２３】
図１に戻る。主装置２００は、通信部２０１と、管理部２０２と、制御部２０３とを含む。通信部２０１は、電話交換機システムに接続可能な電話機端末の少なくとも一つから、着信要求と、予め定められた端末切替要求とを受信する。なお、本実施形態では、端末切替要求は、電話機端末を切り替える旨の切替要求として用いられる。
【００２４】
通信部２０１が端末切替要求を受信すると、管理部２０２は、その端末切替要求の送信元の電話機端末３０１の電話番号４０１が識別用電話番号として対応付けられたグループ情報を、グループデータベース装置１００から検索する。
【００２５】
管理部２０２は、その検索したグループ情報に含まれる所属電話番号をグループデータベース装置１００から取得する。管理部２０２は、その取得した所属電話番号のうち、識別用電話番号と異なる所属電話番号を切替対象電話番号として選択する。管理部２０２は、その選択した切替対象電話番号の電話機端末を切替対象電話機端末として特定する。
【００２６】
通信部２０１が着信要求を受信すると、制御部２０３は、その着信要求の着信先の電話機端末を呼び出す。制御部２０３は、その呼び出しに対する応答があった場合、その着信先の電話機端末と、その着信要求の発信元の電話機端末とを互いに接続させて、それらの電話機端末間の通話を開始させる。
【００２７】
着信先の電話機端末と発信元の電話機端末とが互いに接続された後で通信部２０１が発信元の電話機端末から端末切替要求を受信すると、制御部２０３は、着信先の電話機端末を保留状態にするとともに、その端末切替要求が受信されたたときに管理部２０２が特定した切替対象電話機端末を、切替先の電話機端末として呼び出す。制御部２０３は、その呼び出しに対する応答があった場合、切替先の電話機端末と着信先の電話機端末とを互いに接続させて、それらの電話機端末間の通話を開始させる。
【００２８】
なお、主装置２００は、上記の機能の他にも、一般的な電話交換機の機能を有していてもよい。
【００２９】
次に動作を説明する。
【００３０】
図３は、本実施形態の電話交換機システムの動作を説明するためのフローチャートである。なお、電話機端末３０１が着信先を電話機端末３１１とする着信要求を送信し、その後、電話機端末３０１および３１１が接続されたものとする。
【００３１】
ステップＳ３１では、電話機端末３０１のユーザは、端末切替要求ボタンを押下して電話機端末３０１に端末切替要求を入力する。電話機端末３０１は、その入力された端末切替要求を主装置２００の通信部２０１に送信する。通信部２０１は、端末切替要求を受信すると、ステップＳ３２を実行する。
【００３２】
ステップＳ３２では、通信部２０１は、端末切替要求を制御部２０３を介して管理部２０２に送信する。管理部２０２は、端末切替要求を受信すると、電話機端末３０１の電話番号「４０１」が識別用電話番号として対応付けられたグループ情報を、グループデータベース装置１００に記憶されたグループデータベースの中から検索する。管理部２０２は、ステップＳ３２を終了すると、ステップＳ３３を実行する。
【００３３】
ステップＳ３３では、管理部２０２は、検索されたグループ情報内の所属電話番号「４０１」および「４０２」を取得する。管理部２０２は、所属電話番号「４０１」および「４０２」のうち、識別用電話番号「４０１」と異なる所属電話番号「４０２」を切替対象電話番号として選択する。管理部２０２は、その選択した切替対象電話番号「４０２」を制御部２０３に送信する。制御部２０３は、切替対象電話番号「４０２」を受信すると、ステップＳ３４を実行する。
【００３４】
ステップＳ３４では、制御部２０３は、着信先の電話機端末３１１を保留にするとともに、切替対象電話番号「４０２」の電話機端末３０２を呼び出す。これにより、電話機端末３１１は、電話機端末３０１との通話状態から保留状態に変化する。その後、ステップＳ３５が実行される。
【００３５】
ステップＳ３５では、ユーザは、電話機端末３０２を操作して、保留を解除する旨を入力する。電話機端末３０２は、その旨が入力されると、呼び出しに対する応答信号を主装置２００の通信部２０１に送信する。通信部２０１は、応答信号を受信すると、その応答信号を制御部２０３に送信する。
【００３６】
制御部２０３は、応答信号を受信すると、呼び出しに対する応答があったと判断して、電話機端末３０２および３１１を互いに接続させる。これにより、電話機端末３０２および３１１間の通話が開始され、動作が終了する。
【００３７】
次に効果を説明する。
【００３８】
本実施形態によれば、管理部２０２は、通信部２０１が端末切替要求を受信すると、グループデータベース装置１００から所属電話番号を切替対象電話番号として取得し、その取得した切替対象電話番号の電話機端末を切替対象電話機端末として特定する。着信先の電話機端末と発信元の電話機端末とが接続されているときに、通信部２０１が端末切替要求を受信すると、制御部２０３は、そのときに管理部２０２が特定した切替対象電話機端末を切替先の電話機端末として呼び出す。その呼び出しに対する応答があった場合、その切替先の電話機端末と着信先の電話機端末とを互いに接続させる。
【００３９】
この場合、着信先の電話機端末と発信元の電話機端末とが接続されているときに、端末切替要求が受信されると、切替対象電話番号の電話機端末である切替先の電話機端末と着信先の電話機端末とが互いに接続される。
【００４０】
したがって、発信者は端末切替要求ボタンを押下するだけで発信元の電話機端末を切替先の電話機端末に切り替えることができるので、発信者の利便性を向上させ操作の簡便化を図ることができる。なお、端末切替要求ボタンは専用のボタンを設けなくてもよく、電話機端末が一般的に具備しているプログラム可能なボタンに割り付けて実現しても良いし、特定の機能ボタンにダイヤル番号を組み合わせた特番でも良いので、コストの増加を抑制することも可能である。
【００４１】
また、本実施形態では、グループデータベース装置１００は、所属電話番号と識別用電話番号とを識別用電話番号毎に対応付けて記憶する。管理部２０２は、端末切替要求の送信元の電話機端末の電話番号が識別用電話番号として対応付けられた所属電話番号を切替対象電話番号として取得する。
【００４２】
この場合、電話機端末毎に異なる切替先の電話機端末を選択することが可能になる。
【００４３】
（第二の実施形態）
図４は、本発明の第二の実施形態の電話交換機システムを示したブロック図である。図４では、電話機端末として電話機端末３０３をさらに示されている。なお、電話機端末３０３の電話番号を「４０３」とする。本実施形態では、グループデータベース装置１００に記憶されたグループデータベースには、電話番号「４０３」が識別用電話番号であり、電話番号「４０１」〜「４０３」が所属電話番号でありグループ情報を構成する。
【００４４】
図５は、本実施形態のグループデータベースの一例を示した説明図であり、識別用電話番号１２１と、グループ情報１２２とを有する。識別用電話番号１２１は、グループを識別するための識別情報として用いられる電話番号であり、電話機端末３０３の電話番号「４０３」を示す。グループ情報１２２は、識別用電話番号１２１「４０３」にて識別されるグループに所属する電話機端末３０１〜３０３のそれぞれの所属電話番号１２３〜１２５を含む。所属電話番号１２３は、電話機端末３０１の電話番号「４０１」を示し、所属電話番号１２４は、電話機端末３０２の電話番号「４０２」を示し、所属電話番号１２５は、電話機端末３０３の電話番号「４０３」を示す。
【００４５】
図４に戻る。電話機端末３０３および３１１の間で通話が行われているときに、通信部２０１が電話機端末３０３から端末切替要求を受信した場合、管理部２０２は、グループデータベース装置１００から、電話機端末３０３の電話番号「４０３」が識別用電話番号として対応付けられたグループ情報に含まれる所属電話番号「４０１」〜「４０３」を取得する。管理部２０２は、所属電話番号「４０１」〜「４０３」から識別用電話番号「４０３」を除いた所属電話番号「４０１」および「４０２」を切替対象電話番号として選択する。
【００４６】
このように切替対象電話番号が複数ある場合、管理部２０２は、その複数の切替対象電話番号の電話機端末の中から、予め定められた条件に合う電話機端末を切替対象電話機端末として特定する。
【００４７】
例えば、図５で示したように所属電話番号が並べて記憶されている場合、管理部２０２は、識別用電話番号の下にある所属電話番号の電話機端末を、切替対象電話機端末として特定する。また、識別用電話番号の下に切替対象電話番号がない場合、つまり、識別用電話番号がグループ情報内の末尾にある場合、管理部２０２は、グループ情報内の先頭の所属電話番号の電話機端末を、切替対象電話機端末として特定する。また、制御部２０３は、複数の所属電話番号の中で最も若い番号の所属電話番号の電話機端末を、切替対象電話機端末として特定してもよい。
【００４８】
次に動作を説明する。
【００４９】
図６は、本実施形態の電話交換機システムの動作を説明するためのフローチャートである。なお、電話機端末３０３が着信先を電話機端末３１１とする着信要求を送信し、電話機端末３０３および３１１が接続されているものとする。
【００５０】
ステップＳ６１では、電話機端末３０３のユーザは、端末切替要求ボタンを押下して電話機端末３０３に端末切替要求を入力する。電話機端末３０３は、その入力された端末切替要求を主装置２００の通信部２０１に送信する。通信部２０１は、端末切替要求を受信すると、ステップＳ６２を実行する。
【００５１】
ステップＳ６２では、通信部２０１は、端末切替要求を制御部２０３を介して管理部２０２に送信する。管理部２０２は、端末切替要求を受信すると、電話機端末３０３の電話番号「４０３」が識別用電話番号として対応付けられたグループ情報を、グループデータベース装置１００に記憶されたグループデータベースの中から検索する。管理部２０２は、ステップＳ６２を終了すると、ステップＳ６３を実行する。
【００５２】
ステップＳ６３では、管理部２０２は、検索されたグループ情報内の所属電話番号「４０１」〜「４０３」を取得する。管理部２０２は、所属電話番号「４０１」〜「４０３」のうち、識別用電話番号「４０３」と異なる所属電話番号「４０１」及び「４０２」を切替対象電話番号として選択する。所属電話番号が複数あるので、管理部２０２は、その複数の所属電話番号の電話端末機の中から切替対象電話機端末を特定する。具体的には、管理部２０２は、識別用電話番号「４０３」の下に所属電話番号がないので、先頭の所属電話番号「４０１」の電話機端末３０１を、切替対象電話機端末として選択する。管理部２０２は、その選択した切替対象電話機端末の電話番号「４０１」を制御部２０３に送信する。制御部２０３は、切替対象電話番号「４０１」を受信すると、ステップＳ６４を実行する。
【００５３】
ステップＳ６４では、制御部２０３は、着信先の電話機端末３１１を保留にするとともに、切替対象電話番号「４０１」の電話機端末３０１を呼び出す。これにより、電話機端末３１１は、電話機端末３０３との通話状態から保留状態に変化する。その後、ステップＳ６５が実行される。
【００５４】
ステップＳ６５では、ユーザは、電話機端末３０１を操作して、保留を解除する旨を入力する。電話機端末３０１は、その旨が入力されると、呼び出しに対する応答信号を主装置２００の通信部２０１に送信する。通信部２０１は、応答信号を受信すると、その応答信号を制御部２０３に送信する。制御部２０３は、応答信号を受信すると、呼び出しに対する応答があったと判断して、電話機端末３０１および３１１を互いに接続させる。これにより、電話機端末３０１および３１１間の通話が開始され、動作が終了する。
【００５５】
次に効果を説明する。
【００５６】
本実施形態によれば、管理部２０２は、所属電話番号が複数ある場合、その複数の所属電話番号のそれぞれの電話機端末の中から、予め定められた条件にある電話機端末を切替対象電話機端末として特定する。この場合、切替対象電話番号が複数ある場合でも、発信者は切替先の電話機端末を手動で選択しなくてもよくなり、発信者が行う操作の複雑化を抑制することが可能になる。
【００５７】
（第三の実施形態）
本実施形態の電話交換機システムの構成は、図１で示した構成でもよいし、図４で示した構成でもよい。
【００５８】
本実施形態では、管理部２０２は、切替対象電話番号の電話機端末の中で、接続可能な電話機端末を切替対象電話機端末として特定する。また、接続可能な電話機端末が複数ある場合、管理部２０２は、その複数の接続可能な電話機端末の中から、予め定められた条件に合う電話機端末を切替対象電話機端末として特定する。
【００５９】
また、切替対象電話番号の電話機端末の中に接続可能な切替対象電話機端末がない場合、管理部２０２は、電話機端末の切り替えができないことを示すエラー信号を、発信元の電話機端末に送信する。発信元の電話機端末は、エラー信号を受信すると、エラー音を鳴らしたり、電話機端末の切り替えができない旨を表示したりして、電話機端末の切り替えができないことをユーザに通知する。
【００６０】
次に動作を説明する。
【００６１】
図６を用いて説明したように、電話機端末３０３および３１１間で通話が行われているときに、電話機端末３０３から端末切替要求を受信した場合について説明する。この場合、図６のステップＳ６３で管理部２０２は、切替対象電話番号「４０１」および「４０２」を選択すると、その切替対象電話番号「４０１」および「４０２」のそれぞれの電話機端末３０１および３０２が接続可能な状態か否かを判断する。管理部２０２は、接続可能な状態であると判断された電話機端末の中から、切替対象電話機端末を特定する。
【００６２】
例えば、電話機端末３０１が待機状態であり、かつ、電話機端末３０２が通話中である場合、制御部２０３は、電話機端末３０１を接続可能な状態であると判断し、電話機端末３０２を接続可能な状態でないと判断する。そして、制御部２０３は、接続可能な状態である電話機端末３０１を切替対象電話機端末として選択する。
【００６３】
管理部２０２は、切替対象電話機端末を特定すると、その切替対象電話機端末の切替対象電話番号を制御部２０３に送信する。制御部２０３は、切替対象電話番号を受信すると、ステップＳ６４を実行する。また、図３を用いて説明したように、電話機端末３０１および３１１間で通話が行われているときに、電話機端末３０１から端末切替要求を受信した場合について説明する。この場合、図３のステップＳ３３で管理部２０２は、切替対象電話番号「４０２」を選択すると、その切替対象電話番号「４０２」の電話機端末３０２が接続可能な状態か否かを判断する。
【００６４】
電話機端末３０２が接続可能な状態であると、管理部２０２は、電話機端末３０２を切替対象電話機端末として特定し、電話機端末３０２の切替対象電話番号「４０２」を制御部２０３に送信する。制御部２０３は、切替対象電話番号「４０２」を受信すると、ステップＳ３４を実行する。
【００６５】
一方、電話機端末３０２が接続可能な状態でないと、管理部２０２は、接続可能な電話機端末がないと判断して、エラー信号を、制御部２０３および通信部２０１を介して電話機端末３０１に送信する。電話機端末３０１は、エラー信号を受信すると、電話機端末の切り替えができないことをユーザに通知して動作を終了する。
【００６６】
次に効果を説明する。
【００６７】
本実施形態によれば、管理部２０２は、切替対象電話番号の電話機端末のうち、接続可能な電話機端末を切替対象電話機端末として特定する。この場合、通話中の相手に保留を追加するなどのユーザが混乱するような動作を防止することが可能になる。
【００６８】
（第四の実施形態）
本実施形態の電話交換機システムの構成は、図１で示した構成でもよいし、図４で示した構成でもよい。本実施形態は、待機状態の電話機端末から端末切替要求が入力された場合についてであり、この場合、端末切替要求は端末接続要求としての意味を持つ。
【００６９】
本実施形態では、通信部２０１が待機状態の電話機端末から端末切替要求を受信すると、前述の通り、端末切替要求は端末接続要求とみなされ、制御部２０３は、そのときに管理部２０２が特定した切替対象電話機端末を着呼先の電話機端末として呼び出す。その呼び出しに対する応答があった場合、制御部２０３は、その着呼先の電話機端末とその待機状態の電話機端末とを互いに接続させる。
【００７０】
次に動作を説明する。
【００７１】
図７は、本実施形態の電話交換機システムの動作を説明するためのフローチャートである。なお、電話交換機システムは、図４で示した構成を有するものとする。また、電話機端末３０３は待機状態であるとする。
【００７２】
ステップＳ７１では、電話機端末３０３のユーザは、端末切替要求ボタンを押下して電話機端末３０３に端末切替要求を入力する。この場合、前述の通り、端末切替要求は端末接続要求としての意味を持つ。電話機端末３０３は、その入力された端末切替要求を端末接続要求として主装置２００の通信部２０１に送信する。通信部２０１は、端末接続要求を受信すると、ステップＳ７２を実行する。
【００７３】
ステップＳ７２では、通信部２０１は、端末接続要求を制御部２０３を介して管理部２０２に送信する。管理部２０２は、端末接続要求を受信すると、電話機端末３０３の電話番号「４０３」が識別用電話番号として対応付けられたグループ情報を、グループデータベース装置１００に記憶されたグループデータベースの中から検索する。管理部２０２は、ステップＳ７２を終了すると、ステップＳ７３を実行する。
【００７４】
ステップＳ７３では、管理部２０２は、検索されたグループ情報内の所属電話番号「４０１」〜「４０３」を取得する。管理部２０２は、所属電話番号「４０１」〜「４０３」のうち、識別用電話番号「４０３」と異なる所属電話番号「４０１」および「４０２」を接続対象電話番号として選択する。管理部２０２は、その接続対象電話番号「４０１」および「４０２」のそれぞれの電話機端末３０１および３０２が接続可能な状態か否かを判断する。管理部２０２は、接続可能な状態であると判断された電話機端末の中から、接続対象電話機端末を特定する。以下では、接続対象電話機端末として電話機端末３０１を特定したものとする。管理部２０２は、接続対象電話機端末を特定すると、その接続対象電話機端末である電話機端末３０１の電話番号「４０１」を制御部２０３に送信する。制御部２０３は、接続対象電話機番号「４０１」を受信すると、ステップＳ７４を実行する。
【００７５】
ステップＳ７４では、制御部２０３は、接続対象電話番号「４０１」の電話機端末３０１を呼び出す。その後、ステップＳ７５が実行される。
【００７６】
ステップＳ７５では、ユーザは、電話機端末３０１を操作して呼び出しに応答する。電話機端末３０１は、呼び出しに対する応答信号を主装置２００の通信部２０１に送信する。通信部２０１は、応答信号を受信すると、その応答信号を制御部２０３に送信する。制御部２０３は、応答信号を受信すると、呼び出しに対する応答があったと判断して、電話機端末３０１および３０３を互いに接続させる。これにより、電話機端末３０１および３０３間の通話が開始され、動作が終了する。
【００７７】
次に効果を説明する。
【００７８】
本実施形態によれば、通信部２０１が待機状態の電話機端末から端末接続要求としての端末切替要求を受信すると、制御部２０３は、そのときに管理部２０２が特定した接続対象電話機端末を着呼先の電話機端末として呼び出す。その呼び出しに対する応答があった場合、制御部２０３は、その着呼先の電話機端末とその待機状態の電話機端末とを互いに接続させる。
【００７９】
この場合、待機状態の電話機端末から端末接続要求としての端末切替要求が受信されると、そのときに特定された着呼先の電話機端末とその待機状態の電話機端末とが接続される。したがって、ユーザは、着信先の電話番号を入力しなくても、通話を行うことが可能になる。
【００８０】
（第五の実施形態）
本実施形態の電話交換機システムの構成は、図１で示した構成でもよいし、図４で示した構成でもよい。本実施形態は、呼び出し中の端末切替要求に対する本電話交換機システムの動作についてである。
【００８１】
本実施形態では、管理部２０２は、制御部２０３が着信先の電話機端末を呼び出している間に、通信部２０１が発信元の電話機端末から端末切替要求を受信すると、前記発信元の電話機端末の電話番号が識別電話番号として対応付けられたグループ情報を、グループデータベース装置１００から検索する。
【００８２】
管理部２０２は、その検索されたグループ情報に含まれる所属電話番号をグループデータベース装置１００から取得する。管理部２０２は、その取得した所属電話番号のうちの識別用電話番と異なる電話番号である所属電話番号を確認する。
【００８３】
管理部２０２は、その確認した所属電話番号のうち着信先の電話機端末の電話番号と異なる所属電話番号を、切替対象電話番号として選択する。管理部２０２は、その切替対象電話番号の電話機端末の中から切替対象電話機端末を特定する。このとき、着信先の電話機端末の電話番号と異なる所属電話番号がない場合、エラー信号を発信元の電話機端末に送信する。
【００８４】
制御部２０３は、着信先の電話機端末を呼び出している間に通信部２０１が端末切替要求を受信すると、そのときに管理部２０２が特定した切替対象電話機端末を着信切替先の電話機端末として呼び出す。その呼び出しに対する応答があった場合、制御部２０３は、その着信切替先の電話機端末と、発信元の電話機端末とを互いに接続させる。
【００８５】
次に動作を説明する。
【００８６】
図８は、本実施形態の電話交換機システムの動作を説明するためのフローチャートである。
【００８７】
ステップＳ８１では、電話機端末３０３のユーザは、電話機端末３０２への着信要求を電話機端末３０３に入力する。電話機端末３０３は、その入力された着信要求を主装置２００の通信部２０１に送信する。通信部２０１は、着信要求を受信すると、通信部２０１は、着信要求を制御部２０３に送信する。制御部２０３は、着信要求を受信すると、その着信要求に応じた電話機端末３０２を呼び出す。その後、その呼び出しに対する応答がある前に、ユーザが端末切替要求を電話機端末３０３に入力する。端末切替要求が入力されると、ステップＳ８２が実行される。
【００８８】
ステップＳ８２では、電話機端末３０３は、その入力された端末切替要求を主装置２００の通信部２０１に送信する。通信部２０１は、端末切替要求を受信すると、ステップＳ８３を実行する。
【００８９】
ステップＳ８３では、通信部２０１は、端末切替要求を制御部２０３に送信する。制御部２０３は、端末切替要求を受信すると、その端末切替要求と、呼び出しを行っている着信先の電話機端末３０２の電話番号「４０２」である着信先電話番号とを管理部２０２に送信する。管理部２０２は、端末切替要求および着信先電話番号を受信すると、電話機端末３０３の電話番号「４０３」が識別用電話番号として対応付けられたグループ情報を、グループデータベース装置１００に記憶されたグループデータベースの中から検索する。管理部２０２は、ステップＳ８３を終了すると、ステップＳ８４を実行する。
【００９０】
ステップＳ８４では、管理部２０２は、検索されたグループ情報内の所属電話番号「４０１」〜「４０３」を取得する。管理部２０２は、所属電話番号「４０１」〜「４０３」のうち、識別用電話番号「４０３」と異なる所属電話番号「４０１」および「４０２」を確認する。管理部２０２は、その確認した所属電話番号「４０１」および「４０２」のうち、着信先電話番号「４０２」と異なる所属電話番号「４０１」を切替対象電話番号として選択する。管理部２０２は、その選択した電話番号「４０１」の電話機端末３０１を切替対象電話機端末として特定する。管理部２０２は、切替対象電話機端末を特定すると、その切替対象電話機端末である電話機端末３０１の電話番号「４０１」を制御部２０３に送信する。制御部２０３は、切替対象電話番号「４０１」を受信すると、ステップＳ８５を実行する。
【００９１】
ステップＳ８５では、制御部２０３は、電話機端末３１１への呼び出しを停止するとともに、切替対象電話番号「４０１」の電話機端末３０１を呼び出す。その後、ステップＳ８６が実行される。
【００９２】
ステップＳ８６では、ユーザは、電話機端末３０１を操作して呼び出しに応答する。電話機端末３０１は、呼び出しに対する応答信号を主装置２００の通信部２０１に送信する。通信部２０１は、応答信号を受信すると、その応答信号を制御部２０３に送信する。制御部２０３は、応答信号を受信すると、呼び出しに対する応答があったと判断して、電話機端末３０１および３０３を互いに接続させる。これにより、電話機端末３０１および３０３間の通話が開始され、動作が終了する。
【００９３】
次に効果を説明する。
【００９４】
本実施形態によれば、管理部２０２は、制御部２０３が着信先の電話機端末を呼び出している間に、通信部２０１が発信元の電話機端末から端末切替要求を受信すると、所属電話番号のうち着信先の電話機端末の電話番号と異なる所属電話番号を、切替対象電話番号として選択する。管理部２０２は、その切替対象電話番号の電話機端末を切替対象電話機端末として特定する。
【００９５】
制御部２０３は、着信先の電話機端末を呼び出している間に通信部２０１が端末切替要求を受信すると、そのときに管理部２０２が特定した切替対象電話機端末を着信切替先の電話機端末として呼び出す。その呼び出しに対する応答があった場合、制御部２０３は、その着信切替先の電話機端末と、発信元の電話機端末とを互いに接続させる。
【００９６】
この場合、着信先の電話機端末からの応答がない場合、着信先の電話機端末の転送設定に関わらず、発信者の判断で着信先を切り替えることが可能になる。
【００９７】
なお、電話機端末システムは、第４の実施形態で説明した機能と、第５の実施形態で説明した機能の両方の機能を有していてもよい。
【００９８】
以上説明した各実施形態において、図示した構成は単なる一例であって、本発明はその構成に限定されるものではない。例えば、グループデータベース装置１００と主装置２００とが別々に設けられていたが、グループデータベース装置１００の機能が主装置２００に組み込まれてもよい。
【符号の説明】
【００９９】
１００    グループデータベース装置
２００    主装置
２０１    通信部
２０２    制御部
３０１〜３０３、３１１    電話機端末
【図１】
2011024006.tif 000003
【図２】
2011024006.tif 000004
【図３】
2011024006.tif 000005
【図４】
2011024006.tif 000006
【図５】
2011024006.tif 000007
【図６】
2011024006.tif 000008
【図７】
2011024006.tif 000009
【図８】
2011024006.tif 000010